(57)【要約】【課題】リアルタイムで中古車の価格を一意的に査定する。【解決手段】コンピュータが、価格査定を受ける中古車の型式、年式及び走行距離を含む基本データについて、顧客の入力を受けつけ、販売された中古車の基本データを含む販売中古車データベースを参照することにより、価格査定を受ける中古車と関連して、走行距離帯毎に販売された中古車の販売価格を抽出し、価格査定を受ける中古車と関連して、販売中古車データベースから抽出された中古車の件数が所定値以上か否か判定し、価格査定を受ける中古車が発売された期間の基準年について価格査定を受ける中古車についてベースグレード価格帯を作成し、ベースグレード価格帯を基に、顧客が価格査定を受ける中古車の年式に相当する年と基準年の差によりベースグレード価格帯を補正し、価格査定を受けようとする中古車の査定価格を一意的に定める。【選択図】図２
2015079314.tif 000002
【特許請求の範囲】
【請求項１】
顧客が価格査定を受けようとする中古車の製造メーカ、車種、型式、年式及び走行距離を含む基本データ、ボディカラー、及びハンドル位置を含むオプションデータ、及び中古車の動作不良の状態に関するデータについて顧客による入力を受けつけるデータ入力部と、
販売された中古車の前記基本データを格納する販売中古車データベース、オプションデータと当該オプションデータによる価格補正に関するデータを格納するオプション価格補正データベース、及び中古車の動作不良の状態と当該中古車の動作不良の状態による価格補正に関するデータを格納する中古車動作不良価格補正データベースを記憶する記憶部と、
顧客による入力を受けつけた中古車の前記基本データ、前記オプションデータ、及び前記中古車の各部の動作不良の状態に関するデータにより、前記販売中古車データベース、前記オプション価格補正データベース、及び中古車動作不良価格補正データベースを検索し、顧客が価格査定を受けようとする中古車の価格査定に必要なデータを抽出するデータベース検索抽出部と、
顧客が価格査定を受けようとする中古車と関連して、前記販売中古車データベースから前記基本データが抽出された既に販売された中古車の件数が所定値以上か否か判定する販売中古車件数判定部と、
前記データベース検索抽出部により前記販売中古車データベースを検索し、顧客が価格査定を受けようとする中古車が新車として発売された期間の中間となる基準年について走行距離帯毎にベースグレードとなる中古車の価格を算出しベースグレード価格帯を作成するベースグレード価格帯生成部と、
顧客が価格査定を受けようとする中古車の価格について、前記ベースグレード価格帯を基に顧客が価格査定を受けようとする中古車の年式により補正する年式価格補正部と、
前記データベース検索抽出部により前記オプション価格補正データベースを検索し、顧客が価格査定を受けようとする中古車の価格について、前記オプションデータにより補正するオプションデータ価格補正部と、
前記データベース検索抽出部により中古車動作不良価格データベースを検索し、顧客が価格査定を受けようとする中古車の価格について、中古車の動作不良状態により価格を補正する中古車動作不良価格補正部と、
前記ベースグレード価格帯生成部、前記年式価格補正部、前記オプションデータ価格補正部、及び前記中古車動作不良価格補正部による算出結果を基に、顧客が価格査定を受けようとする中古車の価格を一意的に決定する中古車査定価格決定部とを備える中古車価格査定システム。
【請求項２】
インターネットを利用してコンピュータにより顧客が価格査定を受けようとする中古車の価格を査定する中古車価格査定方法であって、
コンピュータが、
顧客が価格査定を受けようとする中古車の製造メーカ、車種、型式、年式及び走行距離を含む基本データについて、顧客の入力を受けつけ、
販売された中古車の基本データを含む販売中古車データベースを参照することにより、顧客が価格査定を受けようとする中古車と関連して、走行距離帯毎に販売された型式の中古車の販売価格を抽出し、
顧客が価格査定を受けようとする中古車と関連して、前記販売中古車データベースから抽出された販売された中古車の件数が所定値以上か否か判定し、
顧客が価格査定を受けようとする中古車が発売された期間の中間となる基準年について顧客が価格査定を受けようとする中古車についてベースグレードとなる価格帯を作成し、
ベースグレードとなる価格帯を基に、顧客が価格査定を受けようとする中古車の年式に相当する年と前記基準年の差により前記ベースグレードとなる価格帯を補正し、顧客が価格査定を受けようとする中古車の査定価格を一意的に定める中古車価格査定方法。
【請求項３】
前記販売中古車データベースがオークションにおける評価点数を含み、
前記販売中古車データベースを参照することにより、顧客が価格査定を受けようとする中古車と関連して、走行距離帯毎に販売された型式の中古車の販売価格とオークションにおける評価点数を抽出し、
顧客が価格査定を受けようとする中古車が発売された期間の中間となる前記基準年について、走行距離帯毎にオークションにおける評価点数により較正された販売価格を算出し、
算出された販売価格を販売価格の最高額値で較正し、販売価格の最高額値で較正された販売価格の最高額値を走行距離帯の最小値帯に割り当て、前記販売価格の最高額値で較正された販売価格の大小の順により小さな走行距離帯に割り当て、前記販売価格の最高額値で較正された販売価格が割り当てられない走行距離帯に、最近の販売価格の最高額値で較正された販売価格を基に更に較正された較正値を割り当て、前記基準年について顧客が価格査定を受けようとする中古車について前記ベースグレードとなる価格帯を作成する請求項２記載の中古車価格査定方法。
【請求項４】
前記基本データとともに、ボディカラー、及びハンドル位置を含むオプションデータについて、顧客の入力を受けつけ、
前記オプション価格補正データベースを参照することにより、前記オプションデータにより価格査定を受けようとする中古車の価格を補正し、顧客が価格査定を受けようとする中古車の査定価格を一意的に定める請求項２又は３記載の中古車価格査定方法。
【請求項５】
前記基本データとともに、顧客が価格査定を受けようとする中古車の各部の動作不良の状態に関するデータについて、顧客の入力を受けつけ、
前記中古車動作不良価格補正データベースを参照して、中古車の各部の動作不良の状態により価格査定を受けようとする中古車の価格を補正し、顧客が価格査定を受けようとする中古車モデルの査定価格を一意的に定める請求項２から４のいずれか１項記載の中古車価格査定方法。
【請求項６】
前記基準年が、顧客が価格査定を受けようとする時点より何年前であるかにより、顧客が価格査定を受けようとする中古車と関連して前記販売中古車データベースから抽出される中古車の最低件数を前記所定値として定め、価格査定を実行するための条件として前記販売中古車データベースから抽出された販売された中古車の件数が所定値以上か否か判定する請求項２から５のいずれか１項記載の中古車価格査定方法。
【請求項７】
一意的に定められた中古車の査定価格を顧客のコンピュータに表示し、中古車の査定価格に対する顧客の承諾可否を受け付けることを可能とする請求項２から６のいずれか１項記載の中古車価格査定方法。
【請求項８】
一意的に定められた中古車の査定価格を顧客のコンピュータに表示し、中古車の査定価格に対する顧客の承諾可否を受け付けることを可能とし、中古車の査定価格に対して顧客が承諾した場合に顧客が査定価格を提示された中古車の販売及び決済手続きを開始することを可能とする請求項２から７のいずれか１項記載の中古車価格査定方法。
【請求項９】
インターネットを利用してコンピュータにより顧客が価格査定を受けようとする中古車の価格を査定する中古車価格査定プログラムであって、
コンピュータに、
顧客が価格査定を受けようとする中古車の製造メーカ、車種、型式、年式及び走行距離を含む基本データについて、顧客の入力を受けつける機能と、
販売された中古車の基本データを含む販売中古車データベースを参照することにより、顧客が価格査定を受けようとする中古車と関連して、走行距離帯毎に販売された型式の中古車の販売価格を抽出する機能と、
顧客が価格査定を受けようとする中古車と関連して、前記販売中古車データベースから抽出された販売された中古車の件数が所定値以上か否か判定する機能と、
顧客が価格査定を受けようとする中古車が発売された期間の中間となる基準年について顧客が価格査定を受けようとする中古車についてベースグレードとなる価格帯を作成する機能と、
ベースグレードとなる価格帯を基に、顧客が価格査定を受けようとする中古車の年式に相当する年と前記基準年の差により前記ベースグレードとなる価格帯を補正し、顧客が価格査定を受けようとする中古車の査定価格を一意的に定める機能とを実現させる中古車価格査定プログラム。
【発明の詳細な説明】
【技術分野】
【０００１】
本発明は、通信回線、特にインターネットを利用して中古車の価格を査定する中古車価格査定システム、方法、及びプログラムに関する。
【背景技術】
【０００２】
従来から、製造メーカ、車種、型式、年式、走行距離、色、ハンドル位置、内外装の異なる多様な中古車が中古車市場で販売されている。中古車の価格は、多様な中古車が多様な中古車市場で販売されることから、中古車の持つ市場価値と中古車を取り巻く市場環境によって決定されている。最近は、インターネットの発達に伴って、取り引きされる中古車の情報が急速に増大すると共に、インターネットオークションの発達に伴って中古車を取り巻く市場環境も急速には変化している。
【０００３】
このようななかで、インターネットを利用した多様な中古車の価格査定方法と売買方法が提案されている。
例えば、特許文献１に記載される中古車価格支援システムでは、顧客のコンピュータからインターネットを経由して価格査定を受けようとする中古車のデータを受信し、落札車両データベースに蓄積された多数の落札車両のデータから近似する中古車の落札価格に照らして査定対象車の適正価格を算出し、価格情報をインターネットを通して顧客のコンピュータに表示する。査定者は、この表示された価格情報を参考とすることにより、相場実勢にそった価格査定をする。（特許文献１の段落［００２０］）
【先行技術文献】
【特許文献】
【０００４】
【特許文献１】特開２００４−２８７６１７号公報
【発明の概要】
【発明が解決しようとする課題】
【０００５】
従来のインターネットを利用した中古車の価格査定では、価格に幅を有する価格情報の提示にとどまり、実際には、ディーラー等の査定者がこの価格情報を参考に相場実勢に応じて価格査定をする必要があった。
ディーラー等の査定者が実際の価格査定を行うので、２４時間リアルタイムで価格査定を行うことはできず、インターネットオークションが発達した市場環境において、リアルタイムで相場実勢に応じた適正な価格査定を希望する顧客の希望を満たすことはできなかった。
【０００６】
そこで、本発明は、上記事情に鑑みて、インターネットを利用して２４時間リアルタイムで中古車の価格を一意的に査定することができる中古車価格査定システム、方法、及びプログラムを提供することを目的とするものである。
【課題を解決するための手段】
【０００７】
中古車価格査定システムが、顧客が価格査定を受けようとする中古車の製造メーカ、車種、型式、年式及び走行距離を含む基本データ、ボディカラー、及びハンドル位置を含むオプションデータ、及び中古車の動作不良の状態に関するデータについて顧客による入力を受けつけるデータ入力部と、販売された中古車の前記基本データを格納する販売中古車データベース、オプションデータと当該オプションデータによる価格補正に関するデータを格納するオプション価格補正データベース、及び中古車の動作不良の状態と当該中古車の動作不良の状態による価格補正に関するデータを格納する中古車動作不良価格補正データベースを記憶する記憶部と、顧客による入力を受けつけた中古車の前記基本データ、前記オプションデータ、及び前記中古車の各部の動作不良の状態に関するデータにより、前記販売中古車データベース、前記オプション価格補正データベース、及び中古車動作不良価格補正データベースを検索し、顧客が価格査定を受けようとする中古車の価格査定に必要なデータを抽出するデータベース検索抽出部と、顧客が価格査定を受けようとする中古車と関連して、前記販売中古車データベースから前記基本データが抽出された既に販売された中古車の件数が所定値以上か否か判定する販売中古車件数判定部と、前記データベース検索抽出部により前記販売中古車データベースを検索し、顧客が価格査定を受けようとする中古車が新車として発売された期間の中間となる基準年について走行距離帯毎にベースグレードとなる中古車の価格を算出しベースグレード価格帯を作成するベースグレード価格帯生成部と、顧客が価格査定を受けようとする中古車の価格について、前記ベースグレード価格帯を基に顧客が価格査定を受けようとする中古車の年式により補正する年式価格補正部と、前記データベース検索抽出部により前記オプション価格補正データベースを検索し、顧客が価格査定を受けようとする中古車の価格について、前記オプションデータにより補正するオプションデータ価格補正部と、前記データベース検索抽出部により中古車動作不良価格データベースを検索し、顧客が価格査定を受けようとする中古車の価格について、中古車の動作不良状態により価格を補正する中古車動作不良価格補正部と、前記ベースグレード価格帯生成部、前記年式価格補正部、前記オプションデータ価格補正部、及び前記中古車動作不良価格補正部による算出結果を基に、顧客が価格査定を受けようとする中古車の価格を一意的に決定する中古車査定価格決定部とを備える。
【０００８】
中古車価格査定方法が、インターネットを利用してコンピュータにより顧客が価格査定を受けようとする中古車の価格を査定する中古車価格査定方法であって、
コンピュータが、顧客が価格査定を受けようとする中古車の製造メーカ、車種、型式、年式及び走行距離を含む基本データについて、顧客の入力を受けつけ、販売された中古車の基本データを含む販売中古車データベースを参照することにより、顧客が価格査定を受けようとする中古車と関連して、走行距離帯毎に販売された型式の中古車の販売価格を抽出し、顧客が価格査定を受けようとする中古車と関連して、前記販売中古車データベースから抽出された販売された中古車の件数が所定値以上か否か判定し、顧客が価格査定を受けようとする中古車が発売された期間の中間となる基準年について顧客が価格査定を受けようとする中古車についてベースグレードとなる価格帯を作成し、ベースグレードとなる価格帯を基に、顧客が価格査定を受けようとする中古車の年式に相当する年と前記基準年の差により前記ベースグレードとなる価格帯を補正し、顧客が価格査定を受けようとする中古車の査定価格を一意的に定める。
【０００９】
中古車価格査定プログラムが、インターネットを利用してコンピュータにより顧客が価格査定を受けようとする中古車の価格を査定する中古車価格査定プログラムであって、
コンピュータに、顧客が価格査定を受けようとする中古車の製造メーカ、車種、型式、年式及び走行距離を含む基本データについて、顧客の入力を受けつける機能と、販売された中古車の基本データを含む販売中古車データベースを参照することにより、顧客が価格査定を受けようとする中古車と関連して、走行距離帯毎に販売された型式の中古車の販売価格を抽出する機能と、顧客が価格査定を受けようとする中古車と関連して、前記販売中古車データベースから抽出された販売された中古車の件数が所定値以上か否か判定する機能と、顧客が価格査定を受けようとする中古車が発売された期間の中間となる基準年について顧客が価格査定を受けようとする中古車についてベースグレードとなる価格帯を作成する機能と、ベースグレードとなる価格帯を基に、顧客が価格査定を受けようとする中古車の年式に相当する年と前記基準年の差により前記ベースグレードとなる価格帯を補正し、顧客が価格査定を受けようとする中古車の査定価格を一意的に定める機能とを実現させる。
【発明の効果】
【００１０】
本発明の中古車価格査定システム、方法、及びプログラムによると、顧客の求めに応じて、中古車の価格査定の基礎となる販売された中古車データの件数を条件として、中古車の価格を２４時間リアルタイムで自動的に一意的に査定し提示することができる。
また、本発明の中古車価格査定システム、方法、及びプログラムによると、中古車の価格を２４時間リアルタイムで自動的に一意的に査定することができるので、顧客が直ちに中古車の売却及び決済の手続きへ移行することの可否を判断することを可能とする。
【図面の簡単な説明】
【００１１】
【図１】本発明の実施形態に係る中古車価格査定システム１を示すブロック図
【図２】本発明の実施形態に係る中古車価格査定方法を示すフローチャート
【図３】販売中古車データベースのデータの１例を表示する画面を示す図
【図４】走行距離帯毎の評価点数較正販売価格の平均値の算出を説明する説明図
【図５】基準年におけるベースグレード価格帯の算出を説明する説明図
【図６】基準年を中心に販売各年の価格帯を示す図
【図７】顧客が中古車の型式を入力するための画面を示す図
【図８】顧客が中古車のグレード、年式等を入力するための画面を示す図
【図９】顧客が中古車の詳細情報を入力するための画面を示す図
【図１０】顧客に中古車の査定価格を提示するための画面を示す図
【図１１】査定価格を受け入れる顧客が連絡先を入力するための画面を示す図
【発明を実施するための形態】
【００１２】
以下、本発明の実施形態に係る中古車価格査定の構成について記載し、続いて、本発明の実施形態に係る中古車価格査定方法について記載することにより、本発明の実施形態に係るシステム、方法、及びプログラムにおける処理について説明する。
【００１３】
図１は、本発明の実施形態に係る中古車価格査定システム１を示すブロック図である。
本発明の実施形態に係る価格査定システム１は、顧客が価格査定を受けようとする中古車に関するデータを受け付けるデータ入力部２と、販売された中古車に関するデータを格納するデータベースを記憶する記憶部３と、データ入力部２と記憶部３を制御して、記憶部に記憶されるデータベースのデータを検索及び抽出し、データ入力部２が受け付けた顧客が価格査定を受けようとする中古車に関するデータから中古車の価格を一意的に決定する制御部４を備える。
【００１４】
データ入力部２は、顧客が価格査定を受けようとする中古車の製造メーカ、車種、型式、年式及び走行距離を含む基本データ、ボディカラー、及びハンドル位置を含むオプションデータ、及び中古車の動作不良の状態に関するデータについて顧客による入力を受けつける。データ入力部２は、インターネット通信網５１を経由して顧客のコンピュータ端末５２から基本データ等を受け付けても良い。
【００１５】
記憶部３は、販売された中古車の基本データを格納する販売中古車データベース３２、オプションデータと当該オプションデータによる価格補正に関する価格補正データを格納するオプション価格補正データベース３３、及び中古車の動作不良の状態と当該中古車の動作不良の状態と関する価格補正データを格納する中古車動作不良価格補正データベース３４を記憶する。なお、データベースに格納するデータには、中古車のインターネットオークションで取得されたデータが用いられる。
【００１６】
制御部４は、データベース検索抽出部４１、販売中古車件数判定部４２、ベースグレード価格帯生成部４３を備える。また、制御部４は、年式価格補正部４５、オプションデータ価格補正部４６、動作不良価格補正部４７及び中古車査定価格決定部４８を備える。
【００１７】
データベース検索抽出部４１は、顧客による入力を受けつけた基本データ、オプションデータ、及び前記中古車の各部の動作不良の状態に関するデータにより、販売中古車データベース３１、オプション価格データベース３２、及び動作不良価格データベース３３を検索し、顧客が価格査定を受けようとする中古車の価格査定に必要なデータを抽出する。
【００１８】
販売中古車件数判定部４２は、顧客が価格査定を受けようとする中古車と関連して、販売中古車データベース３１から基本データが抽出された既に販売された中古車の件数が所定値以上か否か判定する。
【００１９】
ベースグレード価格帯生成部４３は、データベース検索抽出部４１により記販売中古車データベース３１を検索し、顧客が価格査定を受けようとする中古車が新車として発売された期間の中間となる基準年について走行距離帯毎にベースグレードとなる中古車の価格を算出しベースグレード価格帯を作成する。
【００２０】
年式価格補正部４５は、顧客が価格査定を受けようとする中古車の価格について、前記ベースグレード価格帯を基に顧客が価格査定を受けようとする中古車の年式により補正する。
オプションデータ価格補正部４６は、データベース検索抽出部４１によりオプション価格補正データベース３２を検索し、顧客が価格査定を受けようとする中古車の価格について、オプションデータにより補正する。
【００２１】
動作不良価格補正部４７は、データベース検索抽出部４１により中古車動作不良価格データベース３３を検索し、顧客が価格査定を受けようとする中古車の価格について、中古車の動作不良状態により価格を補正する。
【００２２】
中古車査定価格決定部４８は、顧客が価格査定を受けようとする中古車の価格について、ベースグレード価格帯生成部４３、年式価格補正部４５、オプションデータ価格補正部４６、及び動作不良価格補正部４７によりそれぞれ算出された価格を基に中古車の査定価格一意的に決定する。
【００２３】
［価格査定を受けようとする中古車のデータ入力］
図２は、本発明の実施形態に係る中古車価格査定方法を示すフローチャートである。
本発明の実施形態に係る中古車価格査定方法では、顧客が価格査定を受けようとする中古車の製造メーカ、車種、型式、年式及び走行距離を含む基本データについて、顧客の入力を受けつける（Ｓ２０１）。
基本データと共に、ボディカラー、及びハンドル位置を含むオプションデータ、及び中古車の動作不良の状態に関するデータについて顧客の入力を受け付けても良い。
顧客が価格査定を受けようようとする中古車の基本データ、オプションデータ、及び中古車の動作不良の状態に関するデータは、顧客のコンピュータ端末からインターネット通信網を経由して受け付けても良い。
【００２４】
ここで、基本データとは、中古車の価格査定をするために基準となる価格帯を算出するために必須のデータのことである。中古車の製造メーカ、車種、型式、年式及び走行距離が基本データの項目に分類される。
オプションデータとは、中古車の価格査定にあたって基準となる価格に加算される項目である。オプションデータの項目として、ボディカラー、外装評価（オートオークション基準）、内装評価（オートオークション基準）、ドア枚数、乗車定員、ハンドル位置（左右）、装備仕様、及びその他項目（ワンオーナー、保証書の有無、アクセサリー等）を含めても良い
中古車の動作不良の状態に関するデータとは、中古車の価格査定にあたって基準となる価格から減額される項目である。中古車の動作不良の状態に関するデータには、カバー等の割れ、ガラス等のヒビ及び割れ）、各機関等の不調及び不良、装備等の動作不良、警告灯（チェックランプ）の非点灯に関するデータに含めても良い。
カラー、シフト、グレード（Ｘ、Ｓ）、ハンドル位置（左右）、定員、自己の有無、外装と内装等の項目は、一般的にはオプションデータの項目又は中古車の動作不良の状態に関する項目に含まれるが、価格査定を受ける顧客又は価格査定を実施するディーラーの好みと都合に合わせて基本データの項目に分類しても良い。
【００２５】
［中古車の価格査定のために販売中古車データ抽出］
次に、本実施形態の価格査定方法では、オークションで販売された中古車の基本データを含む販売中古車データベースを参照することにより、顧客が価格査定を受けようとする中古車と関連して、走行距離帯毎に販売された型式の中古車の基本データ、販売価格、及びオークションにおける評価点数を抽出する（Ｓ２０２）。
販売中古車データベースとは、販売された中古車の製造メーカ、車種、型式、年式及び走行距離等の基本データを格納するデータベースである。
図３は、コンピュータの表示画面に表示した販売中古車データベースのデータの１例を示す。
【００２６】
［中古車の価格査定における基準年の定義］
本発明の実施形態に係る中古車の価格査定方法では、以下に説明する本発明の実施形態に係る方法で、中古車の査定価格を算出する。
販売中古車データベースを基に型式毎に販売された中古車の基本データを抽出する。
価格査定を受けようとする型式の中古車が複数年に渡り発売されている場合はそのモデルの発売期間の中間を基準年とし、基準年について査定価格算出の基礎となるベースグレード金額帯を作成する。
販売期間が2002年〜2008年のモデルの場合には、中間の2005年で0Km〜20万Kmまで1万Km毎に金額を算出する。
中間が偶数年の場合、端数は切捨てその前年について抽出する。
価格査定を受けようとする型式の中古車が2001年〜2004年に販売されている場合には、販売期間の中間値が2002.5年となる。この場合には、端数は切り捨てて２００２年を基準年として、査定価格算出の基礎となるベースグレード金額帯を作成する。
【００２７】
［価格査定のための販売中古車の抽出件数の条件］
顧客が価格査定を受けようとする中古車について基本データ等を抽出した後で、実際に価格査定を受けようとする中古車の価格を算出する前に、価格査定を受けようとする中古車と関連して、販売中古車データベースから抽出された中古車の件数が所定値以上か否か判定する（Ｓ２０３）。
抽出する基準年によって、販売中古車データベースから抽出された中古車の件数が最低件数値を下回る場合は、本実施形態に係る価格査定方法の自動計算式をそのまま使用することはできず、個別に対応する。
【００２８】
上述の最低件数値は、抽出する基準年が現在より何年前かによって算出する。最低件数値算出の１例を以下に記載する。
基準年が現在より０〜２年前
２件以上のデータが必要で、かつ走行距離帯が異なる２件以上のデータが必要。
基準年が現在より３〜７年前
５件以上のデータが必要で、かつ走行距離帯が異なる４件以上のデータが必要。
基準年が現在より８〜１０年前
４件以上のデータが必要で、かつ走行距離帯が異なる３件以上のデータが必要。
基準年が現在より１１年以上前
１件以上のデータが必要で、かつ走行距離帯が異なる１件以上のデータが必要。
【００２９】
［販売中古車価格のオークション会場評価点数による較正］
顧客が価格査定を受けようとする中古車と関連して、販売中古車データベースから抽出された中古車の件数が所定値以上の場合は、販売中古車データベースから抽出された中古車の基本データとともに、オークション会場における評価点を基にして中古車の査定価格を算出する（Ｓ２０４）。
【００３０】
オークション会場における評価点の値について以下に説明する。
基準年が現在より０〜１０年経過の場合は、抽出された中古車のデータについてオートオークションの会場での評価点が３点〜５点である。基準年が、１１年以上経過の場合は、オートオークションの会場での評価点にＲ点が含まれ、修復歴又は事故歴がオートオークションの会場での評価点に含まれる。
【００３１】
オートオークションの会場での評価４点を基準（１００％）とし、基準に近づける為に３点は１１５％、３．５点は１１０％、４．５点は９０％、５点は８０％、Ｒ点は１２０％に設定し、拾って来たデータの（金額×評価点の％）で金額を算出する。
【００３２】
図４（ａ）に示すように、上述の過程により、販売中古車データベースを参照することにより、顧客が価格査定を受けようとする中古車と関連して、走行距離帯毎に販売された型式の中古車の販売価格とオークションにおける評価点数を抽出する。
【００３３】
販売期間が２００２年〜２００８年のモデルの場合、基準年の２００５年が８年前になるので４件以上のデータが必要で、かつ走行距離帯が異なる３件以上のデータが必要となる。
図４（ａ）に示すように、８件のデータが抽出され、かつ走行距離帯が異なるデータが５件抽出されている。
【００３４】
図４（ｂ）に示すように、顧客が価格査定を受けようとする中古車モデルが発売された期間の中間となる基準年について、走行距離帯毎にオークションにおける評価点数により較正された販売価格を算出する。
すなわち、図４（ａ）に示す抽出された８件のデータに、図４（ｂ）に示すように、評価点の％をかけて金額を較正する。較正された金額において、千円単位以下は切り捨てる。
【００３５】
図４（ｂ）に示すように４〜５万Ｋｍ、５〜６万Ｋｍ、８〜９万Ｋｍの走行距離帯では、抽出較正されたデータが複数あるので、走行距離帯毎に平均値を算出して、図４（ｃ）に示すように走行距離帯毎にデータを再抽出する。
このデータを基に基準年のベースグレード価格帯の金額を算出していく。
【００３６】
［基準年におけるベースグレード価格帯の作成］
算出された販売価格を販売価格の最高額値で較正し、販売価格の最高額値で較正された販売価格の最高額値を走行距離帯の最小値帯に割り当て、販売価格の最高額値で較正された販売価格の大小の順により小さな走行距離帯に割り当て、販売価格の最高額値で較正された販売価格が割り当てられない走行距離帯に、最近の販売価格の最高額値で較正された販売価格を基に更に較正された較正値を割り当て、基準年について顧客が価格査定を受けようとする中古車についてベースグレードとなる価格帯を作成する（Ｓ２０５）。
基準年について顧客が価格査定を受けようとする中古車についてベースグレードとなる価格帯を作成することにより（Ｓ２０５）、基準年について価格査定受けようとする中古車の価格が定まる（Ｓ２０６）。
【００３７】
図５を参照して、販売期間が２００２年〜２００８年の中古車モデルの場合を例として、基準年においてベースグレードとなる価格帯の算出する１例を以下に記載する。
先ず、図４（ｃ）に示す走行距離帯毎に再抽出されたデータを基に、再抽出されたデータを並べ替えてベースグレードとなる価格帯を算出する。
走行距離帯毎に再抽出されたデータを並べ替える際に、一番高い金額データによって特定の指数をかけて対応する金額を算出する。
一番高い金額データが
５０万円以下なら×８８％
１００万円以下なら×７４％
１５０万円以下なら×７２％
２００万円以下なら×７４％
２５０万円以下なら×７６％
３００万円以下なら×７４％
３００万円以上〜  ×７２％とする。
この例では、一番高い金額が１５０万円以下なので一律７２％かけて対応する金額値を算出する。千円単位以下は切り捨てる。
【００３８】
次に、走行距離帯毎に再抽出され、特定の指数をかけて較正されたデータの並べ替えについて説明する。
抽出後較正されたデータを基に基準年のベースモデルの金額を算出するが、走行距離が低い方が高い金額になるとは限らない。
そこで、図５に示すように、一番高い金額を０〜１万Ｋｍの総行距離帯の金額に設定し、高い金額順に並べ替える。
走行距離帯に金額データが無い場合は、抽出後較正された金額データと金額データの間の中間値を算出する。
この例では、上下の値の差を走行距離帯の数で割り算し走行距離帯毎の中間値を（６３．３万−４８．８万）÷３＝４．８万（円）と算出する。
算出した金額をそれぞれの数値から引いてデータのない走行距離帯の金額に関して
走行距離帯５〜６万Ｋｍについて、対応する金額データが無いので６３．３万−４．８万＝５８．５万（円）と算出する。
走行距離帯６〜７万Ｋｍについて、対応する金額データが無いので５８．５万−４．８万＝５３．７万（円）と算出する
走行距離帯７〜８万Ｋｍについて、６７．９万×７２％＝４８．８万（円）と算出する。
走行距離が大きくて走行距離帯に対応する価格データが無い場合には、抽出後最終的に較正された金額データ〜１万Ｋｍごとに９５％かけて対応する金額データを算出する。
【００３９】
以上により、顧客が価格査定を受けようとする中古車が発売された期間の中間となる基準年について顧客が価格査定を受けようとする中古車についてベースグレードとなる価格帯を作成する。図５において、矢印の矢先に基準年２００５年について、価格査定における金額決定の基礎となるベースグレード価格帯を表示する。
【００４０】
［価格査定を受けようとする中古車の販売年による基準年ベースグレード価格の補正］
次に、価格査定を受けようとする中古車の年式が基準年と一致するか否か判定する（Ｓ２０７）。
価格査定を受けようとする中古車の年式が基準年と一致する場合は、基準年のベースグレード価格帯により価格査定を受けようとする中古車の価格が定まる。
価格査定を受けようとする中古車の年式が基準年と異なる場合は、年式と基準年との差により価格査定を受けようとする中古車の価格を補正する。
すなわち、基準年に関するベースグレード価格帯を基に、価格査定を受けようとする中古車が販売された期間の各年について、基準年との差により各年の価格帯を構成する。そして、価格査定を受けようとする中古車の年式が該当する年について、価格査定を受けようとする中古車の査定価格を一意的に定める（Ｓ２０８）。
【００４１】
販売期間が２００２年〜２００８年の中古車モデルの場合には、例えば、基準年より１年新しい毎に（１０２％×対象年）として、又は、1年古い毎に（９８％×対象年）として各年の価格帯を算出する。算出した各年の価格帯を図６に示す。
これでこのモデルの２００２年〜２００８年のベースグレードの金額が算出されたので
後はこのモデルの２００２年〜２００８年の新車時の他グレードとベースグレードの金額の差異を算出し、その差額分を％化し、（ベースグレードの金額×差異％）＝他グレードの金額になるので全て算出して全グレードの金額を算出することができる。
【００４２】
［価格査定を受けようとする中古車の価格のオプションデータと中古車の動作不良による補正］
価格査定を受けようとする中古車の年式が該当する年について、価格査定を受けようとする中古車の査定価格を一意的に定めた後に、ボディカラー、及びハンドル位置を含むオプションデータ、及び中古車の動作不良の状態に関するデータが入力されている場合（Ｓ２０９）には、オプションデータ価格補正データベース及び中古車動作不良価格補正データベースを検索して、査定価格を補正しても良い（Ｓ２１０）。
【００４３】
例えば、オプションデータについては、査定価格の増額対象として、算出された額にオプションデータの項目により定められた指数を積算することにより査定価格を決定しても良い。
また、中古車の動作不良の状態に関するデータについては、査定価格の減額対象として、算出された額から中古車の動作不良の状態に関する項目により定められた額を減算することにより査定価格を決定しても良い。
上述のように、価格査定を受けようとする中古車の価格が一意的に決定される（Ｓ２１１）。
【００４４】
［中古車の抽出件数が最低件数値以下の場合における近似データの抽出］
顧客が価格査定を受けようとする中古車と関連して、販売中古車データベースから抽出された中古車の件数が所定値以上か否か判定し（Ｓ２０３）、販売中古車データベースから抽出された中古車の件数が最低件数値を下回る場合は、個別に対応することになる。
【００４５】
価格査定を受けようとする中古車と関連して、この場合に、型式の異なる中古車について近似するデータを抽出して価格査定を行っても良い。
近似するデータを抽出して価格査定を行う場合の１例を以下に記載する。
価格査定を受けようとする中古車と関連して、販売中古車データベースから該当する型式の中古車のデータ、例えば、ホンダ、２００５年、走行距離３万〜４万Ｋｍ、及び販売価格８０万円のデータが１件しか抽出されなかったとする。
この場合に、価格査定を行うためには、他の走行距離に関するデータが必要となる。
そこで、データを補うために、他のメーカも含めて、価格査定を受けようとする中古車の型式と近似する中古車のデータを販売中古車データベースから検索して抽出しても良い。
【００４６】
価格査定を受けようとする中古車の型式と近似する中古車のデータを販売中古車データベースから検索して抽出する場合には、対象データの金額に応じて、例えば以下に記載するように抽出するデータに幅を持たせる。
１００万円以下の:場合は前後１０％
１０１〜２００万円以下は前後８％
２０１〜３００万円以下は前後６％
３０１万円以上は前後４％
【００４７】
複数車種のそれぞれの走行距離帯のデータを抽出する。そして、走行距離毎に価格について平均値を算出し、ベースグレードの金額帯を作成し、他の中古車モデルの金額帯も作成する。
それらにより、価格査定を受けようとする中古車の査定価格を決定する。
【００４８】
［中古車価格査定システム、方法、及びプログラムの表示画面］
図７は、顧客が中古車の型式を入力するための画面の１例を示す図であり、図８は、顧客が中古車のグレード、年式等を入力するための画面の１例を示す図であり、図９は、顧客が中古車の詳細情報を入力するための画面の１例を示す図である。図７から９に表示される画面によって、顧客は価格査定を受けようとする中古車のデータを入力する。
図１０は、顧客に中古車の査定価格を提示するための画面の１例を示す図である。図１０に表示される画面によって、本実施形態に係る中古車価格査定システム、方法、及びプログラムによって算出された査定価格が顧客に提示される。
図１１は、図１０の画面に提示される査定価格を受け入れる顧客が、連絡先を入力するための画面の１例を示す図である。本実施形態に係る中古車価格査定システム、方法、及びプログラムによると、査定価格が一意に提示されるので、顧客が査定価格を受け入れると、直ちに価格査定を受けた中古車を売却し決済する手続きへ移行することが可能となる。
【符号の説明】
【００４９】
１  中古車価格査定システム
２  データ入力部
３  記憶部
４  制御部
３１  販売中古車データベース
３２  オプションデータ価格補正データベース
３３  動作不良価格補正データベース
４１  データベース検索抽出部
４２  販売中古車件数判定部
４３  ベースグレード価格帯生成部
４５  年式価格補正部
４６  オプションデータ価格補正部
４７  動作不良価格補正部
４８  中古車査定価格決定部
５１  インターネット通信網５１
５２  顧客コンピュータ端末
【図１】
2015079314.tif 000003
【図２】
2015079314.tif 000004
【図３】
2015079314.tif 000005
【図４】
2015079314.tif 000006
【図５】
2015079314.tif 000007
【図６】
2015079314.tif 000008
【図７】
2015079314.tif 000009
【図８】
2015079314.tif 000010
【図９】
2015079314.tif 000011
【図１０】
2015079314.tif 000012
【図１１】
2015079314.tif 000013